(57)【要約】【課題】ペットや人が虫に刺されることを防止することができるペット用リードを提供する。【解決手段】ペット用リード（１）は、長尺形状のリード本体（１０）と、リード本体（１０）の一端（１０ａ）に設けられる取っ手（２０）と、リード本体（１０）の他端（１０ｂ）に設けられ、ペットに装着された首輪（２）またはハーネスに連結される連結部（３０）と、リード本体（１０）に取り付けられ、虫除け材（４）を収納するための収納部（４０）とを備える。【選択図】図１
0003203592.tif 000002
【実用新案登録請求の範囲】
【請求項１】
長尺形状のリード本体と、
前記リード本体の一端に設けられる取っ手と、
前記リード本体の他端に設けられ、ペットに装着された首輪またはハーネスに連結される連結部と、
前記リード本体に取り付けられ、虫除け材を収納するための収納部とを備える、ペット用リード。
【請求項２】
前記収納部は、袋状に形成されている、請求項１に記載のペット用リード。
【請求項３】
前記収納部は、通気性を有する素材である、請求項１または２に記載のペット用リード。
【請求項４】
前記収納部は、前記取っ手に隣接して設けられる、請求項１〜３のいずれかに記載のペット用リード。
【請求項５】
前記収納部は、前記連結部に隣接して設けられる、請求項１〜３のいずれかに記載のペット用リード。
【請求項６】
前記収納部は、前記リード本体に固着されている、請求項１〜５のいずれかに記載のペット用リード。
【請求項７】
前記収納部は、前記リード本体に着脱可能に取り付けられている、請求項１〜５のいずれかに記載のペット用リード。
【考案の詳細な説明】
【技術分野】
【０００１】
この考案は、飼い犬などのペットを散歩に連れていく場合などに使用するペット用リードに関する。
【背景技術】
【０００２】
従来から、犬などのペットを散歩などに連れて行く場合には、ペットの首輪にペット用リード（引き紐）を連結した上で、人がペット用リードの端部に設けた取っ手を持って、ペットを散歩などさせることが知られている。
【０００３】
このようなペット用リードとして、特開２００２−１７１８６１号公報（特許文献１）および実用新案登録第３１３４４９４号公報（特許文献２）がある。これらの公報には、取っ手部分とリード本体部分との間にバッグを取り付けることができるペット用リードが開示されている。
【先行技術文献】
【特許文献】
【０００４】
【特許文献１】特開２００２−１７１８６１号公報
【特許文献２】実用新案登録第３１３４４９４号公報
【考案の概要】
【考案が解決しようとする課題】
【０００５】
一般的に、ペットの散歩などは、屋外であることが多いため、ペットおよび人が、散歩中に虫に刺される場合がある。そのため、散歩中に虫に刺されないようにするためには、散歩のたびにペットおよび人に虫除けスプレーをかける必要があり、面倒である。
【０００６】
そこで、本考案は、上記のような課題を解決するためになされたものであって、その目的は、ペットや人が虫に刺されることを防止することができるペット用リードを提供することである。
【課題を解決するための手段】
【０００７】
この目的のため、本考案の一態様に係るペット用リードは、長尺形状のリード本体と、リード本体の一端に設けられる取っ手と、リード本体の他端に設けられ、ペットに装着された首輪またはハーネスに連結される連結部と、リード本体に取り付けられ、虫除け材を収納するための収納部とを備える。
【０００８】
好ましくは、収納部は、袋状に形成されている。
【０００９】
好ましくは、収納部は、通気性を有する素材である。
【００１０】
好ましくは、収納部は、取っ手に隣接して設けられる。
【００１１】
好ましくは、収納部は、連結部に隣接して設けられる。
【００１２】
好ましくは、収納部は、リード本体に固着されている。
【００１３】
好ましくは、収納部は、リード本体に着脱可能に取り付けられている。
【考案の効果】
【００１４】
本考案によれば、ペットや人が虫に刺されることを防止することができるペット用リードを提供することができる。
【図面の簡単な説明】
【００１５】
【図１】本考案の実施の形態１に係るペット用リードの使用状態を示す図である。
【図２】図１の一部分を拡大して示す正面図である。
【図３】図２のＩＩＩ−ＩＩＩ線に沿って見た収納部の断面図である。
【図４】本考案の実施の形態２に係るペット用リードの一部分を拡大して示す正面図である。
【図５】図４のＶ−Ｖ線に沿って見た収納部の断面図である。
【図６】本考案の実施の形態２に係るペット用リードの収納部の取付位置を示す図である。
【考案を実施するための形態】
【００１６】
本考案の実施の形態について図面を参照しながら詳細に説明する。なお、図中同一または相当部分には同一符号を付してその説明は繰返さない。
【００１７】
（実施の形態１）
図１を参照して、本実施の形態１に係るペット用リード１の実施形態について説明する。
【００１８】
本実施の形態１に係るペット用リード１は、長尺形状のリード本体１０と、リード本体１０の一端１０ａに設けられる取っ手２０と、リード本体１０の他端１０ｂに設けられ、ペットに装着された首輪２に連結される連結部３０と、リード本体１０に取り付けられ、虫除け材４を収納するための収納部４０とを備える。
【００１９】
リード本体１０は、たとえば、布、皮革、合成樹脂などによって形成されている。リード本体１０の形状は、たとえば、幅広の断面視矩形形状である。取っ手２０は、たとえば、リード本体１０と同一の素材で形成され、人が把持するためにループ状に設けられる。連結部３０は、首輪２（首輪２の代わりにハーネスが装着されている場合は、ハーネス）と連結するために設けられ、たとえば、金属製のナスカンである。
【００２０】
図２，３をさらに参照して、収納部４０について説明する。図２は、図１の一部分を拡大して示す正面図であり、図３は、図２のＩＩＩ−ＩＩＩ線に沿って見た収納部の断面図である。図２において、矢印Ａ１で示す方向を上下方向、矢印Ａ２で示す方向を左右方向という。
【００２１】
収納部４０は、一点鎖線で示す虫除け材４を収納するために、袋状に形成されている。
収納部４０は、たとえば、リード本体１０に巻き付くように取り付けられている。具体的には、収納部４０は、袋部４１と、蓋部４２と、面ファスナ４３とを含む。
【００２２】
袋部４１は、平面視矩形形状であり、通気性を有する素材、具体的には、メッシュ生地である。このような構成により、虫除け材４を袋部４１に収納した状態で、虫除け材４に効率よく風が当たるため、虫除け剤の発散の効果を阻害しない。さらに、袋部４１は、ある程度の引っ張りにも耐えることができる素材であり、たとえば、ナイロンなどの合成繊維素材で形成される。
【００２３】
袋部４１は、リード本体１０に固着されている。具体的には、袋部４１は、縫い目４４によりリード本体１０の一方の面１１に三方が囲まれるように縫い付けられている。蓋部４２は、袋部４１と同一の素材で一体的に形成されている。面ファスナ４３は、蓋部４２の裏面に設けられる。面ファスナ４３と対になる面ファスナ１３は、リード本体１０の他方の面１２に設けられる。このような構成により、期限が切れた虫除け材４を簡単に交換することができるとともに、虫除け材４が簡単に抜け落ちてしまうおそれがない。
【００２４】
虫除け材４は、たとえば、平面視矩形形状の板材に、虫除け剤の成分を練り込んだものである。虫除け剤は、ハエや蚊などの飛ぶ虫を対象にしており、哺乳類には無害の成分で形成されている。虫除け剤は、虫除け剤に風が当たることで揮発し、ハエや蚊などの飛ぶ虫がペットや人に近づくことを防止する。虫除け剤の効果の持続期間は、たとえば、３０日から１年である。虫除け材４は、効果の持続期間を有するため、収納部４０の表面には、効果の持続期間を記入することができる日付を記載する欄が設けられていてもよい。
【００２５】
収納部４０は、連結部３０に隣接して設けられたり、取っ手２０に隣接して設けられる。なお、ここでいう連結部３０に隣接とは、リード本体１０の長手方向長さの半分よりも連結部３０寄りに取り付けられていることをいい、取っ手２０に隣接とは、リード本体１０の長手方向長さの半分よりも取っ手２０寄りに取り付けられていることをいう。
【００２６】
袋部４１が連結部３０に隣接して設けられる場合、虫除け材４の効力は、特にペットに及ぼすことが可能である。袋部４１が取っ手２０に近接して設けられる場合、虫除け材４の効力は、特に人に及ぼすことが可能である。袋部４１が連結部３０および取っ手２０にそれぞれ近接して設けられる場合、虫除け材４の効力は、ペットと人の両方に及ぼすことが可能である。なお、図１に示すように、収納部４０がペットの首輪２にも設けられている場合は、収納部４０を連結部３０ではなく取っ手２０に隣接してリード本１０体に設けることで、ペットおよび人のいずれにも虫除け剤の効力を及ぼすことができる。
【００２７】
（実施の形態２）
上記実施の形態では、収納部４０はリード本体１０に縫い付けて固定されている。これに対し、本実施の形態では、収納部４０Ａは、リード本体１０に着脱可能に取り付けられている。
【００２８】
図４，５，６を参照して、本実施の形態２に係るペット用リード１Ａの構成例について説明する。図４は、本実施の形態２に係るペット用リードの一部分を拡大して示す正面図である。図５は、図４のＶ−Ｖ線に沿ってみた収納部の断面図である。図６は、本考案の実施の形態２に係るペット用リードの収納部の取付位置を示す図である。以下、実施の形態１に示したペット用リード１との相違点のみ詳細に説明する。
【００２９】
ペット用リード１Ａに取り付けられる収納部４０Ａは、たとえば、袋部４１Ａと、一対のホックボタン４３Ａとを備えている。袋部４１Ａは、左右側方部が開放しており、ホックボタン４３Ａが袋部４１Ａの蓋の役割を兼ねる。ホックボタン４３Ａは、収納部４０Ａの左右方向両端に一対設けられる。これにより、収納部４０Ａは、リード本体１０に着脱可能に取り付けられる。この場合、収納部４０Ａは、連結部３０に隣接して設けられたり、取っ手２０に隣接して設けられる。
【００３０】
このような構成とされることで、図６に示すように、虫除け材４の効力を人に及ぼしたい場合は、収納部４０Ａを取っ手２０に隣接してリード本体１０に取り付けることができる。また、虫除け材４の効力をペットに及ぼしたい場合は、収納部４０Ａを連結部３０に隣接してリード本体１０に取り付けることができる。収納部４０Ａを２つ用意すれば、取っ手２０および連結部３０に隣接して収納部４０Ａをリード本体１０に取り付けることで、ペットおよび人のいずれにも虫除け材４の効力を及ぼすことができる。
【００３１】
実施の形態２に係る収納部４０Ａは、リード本体１０から取り外し可能であるため、虫除け材４の交換が容易である。さらに、虫除け材４を使用しない場合は、収納部４０Ａをリード本体１０から取り外すことができるため、収納部４０Ａが空のままリード本体１０に取り付けられているという事態を防止することができる。
【００３２】
なお、実施の形態１において、収納部４０は、袋状であるとして説明したが、リード本体１０に設けられる切込みであってもよい。
【００３３】
また、上記実施の形態１において、収納部４０はリード本体１０に縫い付けられているとしたが、たとえば、熱圧着、接着剤により固着されていてもよい。
【００３４】
また、上記実施の形態２において、収納部４０Ａは、ホックボタン４３Ａによりリード本体１０に取り付けられるとしたが、着脱可能であればこれに限定されず、たとえば、面ファスナにより取り付けられていてもよい。また、収納部４０Ａは、独立して虫除け材４を収納できる形状、たとえば、蓋が設けられていてもよい。
【００３５】
また、各実施の形態において、収納部４０は、メッシュ生地であるとして説明したが、これに限定されない。収納部４０は、通気性を有する素材であればよく、たとえば、通気性を有さない袋部４１に複数の開口が設けられているものでもよい。
【００３６】
また、各実施の形態において、リード本体１０は、幅広の断面矩形形状であるとしたが、幅狭のものであってもよいし、断面円形形状であってもよい。
【００３７】
さらに、上記実施の形態１，２を、適宜組み合わせてもよい。
【００３８】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００３９】
１，１Ａ  ペット用リード、２  首輪、４  虫除け材、１０  リード本体、１０ａ  一端、１０ｂ  他端、１１  一方の面、１２  他方の面、１３  面ファスナ、２０  取っ手、３０  連結部、４０，４０Ａ  収納部、４１，４１Ａ  袋部、４２  蓋部、４３  面ファスナ、４３Ａ  ホックボタン、４４  縫い目。
【図１】
0003203592.tif 000003
【図２】
0003203592.tif 000004
【図３】
0003203592.tif 000005
【図４】
0003203592.tif 000006
【図５】
0003203592.tif 000007
【図６】
0003203592.tif 000008